(57)【要約】【課題】抵抗の温度係数が低い抵抗器を提供する。【解決手段】抵抗の温度係数が低い抵抗器は、抵抗部と、抵抗部の対辺へ接続された２つの導電部とを含む。１つの導電部は、貫通スロットと、貫通スロットと抵抗部との間にある検知部分とを備える。貫通スロットは、２つの相互接続されたセクションを備える。各セクションは延在して閉塞端で終わり、抵抗器で画定された主電流方向と平行な平行コンポーネントと、主電流方向と垂直な垂直コンポーネントとを備える。抵抗の温度係数が低い他の抵抗器は、抵抗部と、抵抗部の２つの側部へ夫々接続された２つの導電部とを含む。各導電部は、抵抗器で画定された主電流方向と垂直に外側に広がる突起ブロックと、突起ブロックにある検知部分とを備える。【選択図】図１
2020102626.tif 000002
【特許請求の範囲】
【請求項１】
抵抗の温度係数が低い、主電流方向を定める抵抗器であって、
抵抗部と、
前記主電流方向において前記抵抗部の側部に接続される第１導電部であり、第１検知部分及び第１貫通スロットを備え、前記第１検知部分が、前記第１貫通スロットと前記抵抗部との間に位置し、前記第１貫通スロットが、第１スロットセクション及び第２スロットセクションを有し、前記第１スロットセクション及び前記第２スロットセクションが、前記主電流方向に対して前記第１検知部分の２つ相対する側に位置して互いに接続され、前記第１スロットセクションが、第１起点から第１経路に沿って前記抵抗部の方へ延在して閉塞端で終わり、前記第２スロットセクションが、前記第１起点から第２経路に沿って前記抵抗部の方へ延在して閉塞端で終わり、前記第１経路が、前記主電流方向と平行な第１平行コンポーネントと、前記主電流方向と垂直な第１垂直コンポーネントとを備え、前記第２経路が、前記主電流方向と平行な第２平行コンポーネントと、前記主電流方向と垂直な第２垂直コンポーネントとを備える、前記第１導電部と、
前記主電流方向において前記抵抗部の他の側部に接続され、第２検知部分を備える第２導電部と
を有する前記抵抗器。
【請求項２】
前記第１スロットセクション及び前記第２スロットセクションは、前記主電流方向又は前記第１検知部分に対して対称である、
請求項１に記載の抵抗器。
【請求項３】
前記第１貫通スロットは、前記主電流方向と垂直な方向において投影長さを有し
前記第１導電部は、前記主電流方向と垂直な前記方向において幅を有し、
前記投影長さは、前記幅の半分よりも短い、
請求項１に記載の抵抗器。
【請求項４】
前記第１貫通スロットは、Ｃ字、正方形ブラケット、長方形ブラケット、又は角ブラケットの形で設けられる、
請求項１に記載の抵抗器。
【請求項５】
前記第１スロットセクションは、円弧、Ｌ字、又は直線の形で設けられる、
請求項１に記載の抵抗器。
【請求項６】
前記第１導電部は、連通穴及び拡張貫通スロットを備え、
前記拡張貫通スロットは、前記第１貫通スロット及び前記連通穴を接続する、
請求項１に記載の抵抗器。
【請求項７】
前記第１導電部は、第１接続部分を備え、
前記第１貫通スロットは、前記主電流方向に沿って前記第１接続部分と前記第１検知部分との間に位置する、
請求項１に記載の抵抗器。
【請求項８】
前記第１導電部は、第２貫通スロットを備え、
前記第２検知部分は、前記第２貫通スロットと前記抵抗部との間に位置する、
請求項１に記載の抵抗器。
【請求項９】
前記第２貫通スロットは、第３スロットセクション及び第４スロットセクションを有し、前記第３スロットセクション及び前記第４スロットセクションは、前記主電流方向に対して前記第２検知部分の２つの相対する側に位置して互いに接続され、前記第３スロットセクションは、第２起点から第３経路に沿って前記抵抗部の方へ延在して閉塞端で終わり、前記第４スロットセクションは、前記第２起点から第４経路に沿って前記抵抗部の方へ延在して閉塞端で終わり、前記第３経路は、前記主電流方向と平行な第３平行コンポーネントと、前記主電流方向と垂直な第３垂直コンポーネントとを備え、前記第４経路は、前記主電流方向と平行な第４平行コンポーネントと、前記主電流方向と垂直な第４垂直コンポーネントとを備える、
請求項８に記載の抵抗器。
【請求項１０】
前記第３スロットセクション及び前記第４スロットセクションは、前記主電流方向又は前記第２検知部分に対して対称である、
請求項９に記載の抵抗器。
【請求項１１】
前記第１貫通スロット及び前記第２貫通スロットは、前記抵抗部に対して対称である、
請求項８に記載の抵抗器。
【請求項１２】
前記第１導電部は、第１接続部分を備え、
前記第２導電部は、第２接続部分を備え、
前記第１接続部分、前記第１貫通スロット、前記第１検知部分、前記抵抗部、前記第２検知部分、前記第２貫通スロット、及び第２接続部分は、前記主電流方向において順に配置される、
請求項８に記載の抵抗器。
【請求項１３】
前記抵抗部は、欠刻を備え、該欠刻は、当該抵抗器の抵抗を調整するように選択された深さを有する、
請求項１に記載の抵抗器。
【請求項１４】
抵抗の温度係数が低い、主電流方向を定める抵抗器であって、
抵抗部と、
前記主電流方向において前記抵抗部の側部に接続される第１導電部であり、前記主電流方向と垂直に外側に広がって、前記主電流方向と垂直な端部で終わる第１突起ブロックを備え、該第１突起ブロックで第１検知部分を備える前記第１導電部と、
前記主電流方向において前記抵抗部の他の側部に接続され、第２検知部分を備える第２導電部であり、前記第１検知部分及び前記第２検知部分が夫々、前記抵抗部の２つの側部に配置される、前記第２導電部と
を有する前記抵抗器。
【請求項１５】
前記第１導電部は、直線縁を備え、該直線縁は、前記主電流方向と平行に延在し、前記第１突起ブロックの縁部に隣接する、
請求項１４に記載の抵抗器。
【請求項１６】
前記第１導電部は、傾斜縁を備え、該傾斜縁は、前記主電流方向に対して斜めに延在し、前記第１突起ブロックの縁部に隣接する、
請求項１４に記載の抵抗器。
【請求項１７】
前記第１導電部は、曲線縁を備え、該曲線縁は、前記主電流方向に対して斜めに延在し、前記第１突起ブロックの縁部に隣接する、
請求項１４に記載の抵抗器。
【請求項１８】
前記抵抗部は、前記第１検知部分から前記第２検知部分への基準線セグメント上に位置する部分を備える、
請求項１４に記載の抵抗器。
【請求項１９】
前記第２導電部は、前記主電流方向と垂直に外側に広がって、前記主電流方向と垂直な端部で終わる第２突起ブロックを備え、
前記第２検知部分は、前記第２突起ブロックにあり、
前記第１突起ブロック及び前記第２突起ブロックは夫々、前記抵抗部の前記２つの側部に配置され、
前記抵抗部、前記第１突起ブロック、及び前記第２突起ブロックの端は、揃えられる、
請求項１８に記載の抵抗器。
【請求項２０】
前記抵抗部は、前記主電流方向に対して前記第１突起ブロックの反対にある前記抵抗部の側で欠刻を備え、該欠刻は、当該抵抗器の抵抗を調整するように選択された深さを有する、
請求項１４に記載の抵抗器。
【発明の詳細な説明】
【技術分野】
【０００１】
本発明は、抵抗の温度係数が低い４端子電流検知抵抗器に関係がある。
【背景技術】
【０００２】
現在の検知抵抗器は、長年にわたり電子市場で利用可能であった。それらの構造は、通常、抵抗器の主端子を形成している高伝導金属端子間に結合される抵抗材料の平坦なストリップを含む。一対の検知端子を主端子において形成することで、４端子デバイスが作られ得る。主端子は、抵抗器を流れる電流の大部分を運ぶ。検知端子は、抵抗器を流れる電流に比例する検知電圧を生成する。そのような抵抗器は、従来の電圧検知技術により電流をモニタするメカニズムを提供する。抵抗器を流れる実際の電流は、オームの法則によって示されているように、抵抗器の抵抗値と検知された電圧とに基づき決定され得る。理想的なデバイスは、ゼロに近い抵抗の温度係数（Temperature  Coefficient  of  Resistance）（ＴＣＲ）を有する。しかし、ほとんどのデバイスは、ＴＣＲがゼロではなく、これは、特に、デバイスの温度が変化する場合に、検知端子での不正確な検知電圧の読み出しを引き起こす可能性がある。更に、主端子は、通常、銅から作られる。銅は、３９００ｐｐｍ／℃のＴＣＲを有し、一方、抵抗材料は、通常は１００ｐｐｍ／℃よりも小さく、検知端子は、望まれるよりも高いＴＣＲを示すこととなり、結果として、デバイスを流れる電流をモニタする際に生じる偏差は大きくなる。
【発明の概要】
【０００３】
本開示は、抵抗器を流れる電流の検知電圧偏差を小さくするために閉塞構造を用いて。抵抗の温度係数が低い抵抗器を提供する。
【０００４】
本発明に従う実施形態の、抵抗の温度係数が低い抵抗器は、抵抗部、第１導電部、及び第２導電部を含む。当該抵抗器は、その上に主電流方向を定める。前記第１導電部は、前記主電流方向において前記抵抗部の側部に接続される。前記第１導電部は、第１検知部分及び第１貫通スロットを備える。前記第１検知部分は、前記第１貫通スロットと前記抵抗部との間に位置する。前記第１貫通スロットは、第１スロットセクション及び第２スロットセクションを有し、前記第１スロットセクション及び前記第２スロットセクションが、前記主電流方向に対して前記第１検知部分の２つ相対する側に位置して互いに接続される。前記第１スロットセクションは、第１起点から第１経路に沿って前記抵抗部の方へ延在して閉塞端で終わる。前記第２スロットセクションは、前記第１起点から第２経路に沿って前記抵抗部の方へ延在して閉塞端で終わる。前記第１経路は、前記主電流方向と平行な第１平行コンポーネントと、前記主電流方向と垂直な第１垂直コンポーネントとを備える。前記第２経路は、前記主電流方向と平行な第２平行コンポーネントと、前記主電流方向と垂直な第２垂直コンポーネントとを備える。前記第２導電部は、前記主電流方向において前記抵抗部の他の側部に接続される。前記第２導電部は、第２検知部分を備える。それによって、前記貫通スロットは、前記第１検知部分及び前記第２検知部分を流れる電流の検知電圧偏差を有効に小さくするように、当該抵抗器を流れる電流を阻止することができる。
【０００５】
本発明に従う実施形態の、抵抗の温度係数が低い抵抗器は、抵抗部と、第１導電部、及び第２導電部を含む。当該抵抗器は、その上に主電流方向を定める。前記第１導電部は、前記主電流方向において前記抵抗部の側部に接続される。前記第１導電部は、前記主電流方向と垂直に外側に広がって、前記主電流方向と垂直な端部で終わる第１突起ブロックを備える。前記第１導電部は、前記第１突起ブロックで第１検知部分を備える。前記第２導電部は、前記主電流方向において前記抵抗部の他の側部に接続される。前記第２導電部は、第２検知部分を備える。前記第１検知部分及び前記第２検知部分は夫々、前記抵抗部の２つの側部に配置される。それによって、前記第１突起ブロックは、前記第１検知部分及び前記第２検知部分を通って当該抵抗器を流れる電流の検知電圧偏差を小さくする閉塞構造を形成する。
【０００６】
本発明のこれら及び他の目的は、様々な図及び図面で説明される好適な実施形態の以下の詳細な説明を読んだ後で、当業者にきっと明らかになるだろう。
【図面の簡単な説明】
【０００７】
【図１】本発明に従う実施形態の抵抗器の上面図である。
【図２】他の実施形態の、Ｃ字形貫通スロットを備えた抵抗器の上面図である。
【図３】他の実施形態の、角ブラケット貫通スロットを備えた抵抗器の上面図である。
【図４】他の実施形態の、円弧及び直線（arc-and-line）貫通スロットを備えた抵抗器の上面図である。
【図５】他の実施形態の、アタッチメントスロットを備えた抵抗器の上面図である。
【図６】本発明に従う他の実施形態の抵抗器の上面図である。
【図７】本発明に従う他の実施形態の抵抗器の上面図である。
【図８】第１接続部分の縁部に欠刻を備えた抵抗器の上面図である。
【図９】他の実施形態の、傾斜縁を備えた抵抗器の上面図である。
【図１０】他の実施形態の、傾斜縁を備えた抵抗器の上面図である。
【図１１】応用においてパッド上に表面実装された図７の抵抗器の上面図である。
【図１２】本発明に従う他の実施形態の抵抗器の上面図である。
【発明を実施するための形態】
【０００８】
図１を参照されたい。実施形態に従う、抵抗の温度係数が低い抵抗器１は、抵抗部１２、第１導電部１４、及び第２導電部１６を含む。抵抗器１は、その上に主電流方向Ｄ１（図１中、矢印で示されている。）を定める。第１導電部１４は、主電流方向において抵抗部１２の側部１２ａに接続される。第１導電部は、第１検知部分１４２（図１中、円で示されている。）、第１貫通スロット１４４、及び第１接続部分１４６（図１中、破線円で示されている。）を備える。第１検知部分１４２は、第１貫通スロット１４４と抵抗部１２との間に位置する。第１貫通スロット１４４は、主電流方向Ｄ１に沿って第１接続部分１４６と第１検知部分１４２との間に位置する。第１導電部１４は、主電流方向Ｄ１において抵抗部１２の他の側部１２ｂに接続される。第２導電部１６は、第２検知部分１６２（図１中、円で示されている。）及び第２接続部分１６６（図１中、破線円で示されている。）を備える。抵抗器１が動作中であるとき、電流は、例えば、第１接続部分１４６から第２接続部分１６６へ、実質的に主電流方向Ｄ１において抵抗器１を流れる。第１貫通スロット１４４は、第１接続部分１４６と比較して第１検知部分１４２に近く、第１接続部分１４６と第１検知部分１４２との間に位置し、それにより、第１貫通スロット１４４は、電流を阻止することができ、従って、第１検知部分１４２及び第２検知部分１６２を流れる電流の検知電圧偏差を有効に小さくすることができる。
【０００９】
実施形態において、抵抗器１は全体として板形状を示す。実際に、抵抗部１２は、例えば、制限なしに、Ｃｕ、Ｎｉ、及びＭｎの合金から作られ得る。第１導電部１４及び第２導電部１６は、例えば、制限なしに、Ｃｕの合金から作られ得る。原理上、抵抗部１２は、第１導電部１４及び第２導電部１６よりも高い抵抗性及び１０分の１の伝導性を備える。更に、実際に、第１検知部分１４２及び第２検知部分１６２は、はんだパッドであるか、あるいは、その上にピン又はねじを固定するか、あるいは、第１検知部分１４２及び第２検知部分１６２を通る検知電圧を測定するために使用されるＰＣＢ上の外部検知回路と接続するのに都合がよいねじ穴を形成することができる。同様に、第１接続部分１４６及び第２接続部分１６６は、はんだパッドであるか、あるいは、その上にピン又はねじを固定するか、あるいは、外部電力ユニット、例えば、バッテリ、モータ、モータ駆動ユニット、充電器ユニット又は制御ユニットなどへ抵抗器１を通って電流（電力）を供給する外部電力ユニットと接続するのに都合がよいねじ穴を形成することができる。その上、いくつかの実施形態では、第２導電部１６は、反対側１２ｂではなく抵抗部１２の別の側部へ接続される。この接続構成によれば、電流は、側部１２ａからその別の側部へ流れることになる。この接続構成は、湾曲した設置空間に適している。実際に、この接続構成は、一様でない電流密度部分を引き起こす場合があり、抵抗部１２、第１導電部１４及び第２導電部１６のサイズは、然るべく大きくされる必要があり得る。
【００１０】
更に、実施形態において、第１貫通スロット１４４は、第１スロットセクション１４４２及び第２スロットセクション１４４４を含む。第１スロットセクション１４４２及び第２スロットセクション１４４４は、主電流方向Ｄ１に対して第１検知部分１４２の２つ相対する側に位置して互いに接続される。すなわち、図１の図では、第１スロットセクション１４４２は上方に伸び、第２スロットセクション１４４４は下方に伸びている。第１スロットセクション１４４２は、第１起点Ｓ１（図１中、×印で示されている。）から第１経路Ｐ１（図１中、破線矢印で示されている。）に沿って抵抗部１２の方へ延在して閉塞端１４４２ａで終わる。第２スロットセクション１４４４は、第１起点Ｓ１から第２経路Ｐ２（図１中、破線矢印で示されている。）に沿って抵抗部１２の方へ延在して閉塞端１４４４ａで終わる。第１経路Ｐ１は、主電流方向Ｄ１と平行な第１平行コンポーネントＰ１１と、主電流方向Ｄ１と垂直な第１垂直コンポーネントＰ１２とを備える。第２経路Ｐ２は、主電流方向Ｄ１と平行な第２平行コンポーネントＰ２１と、主電流方向Ｄ１と垂直な第２垂直コンポーネントＰ２２とを備える。第１平行コンポーネントＰ１１、第１垂直コンポーネントＰ１２、第２平行コンポーネントＰ２１、及び第２垂直コンポーネントＰ２２は非ゼロである。実施形態において、第１起点Ｓ１（すなわち、第１スロットセクション１４４２及び第２スロットセクション１４４４が接続される場所）は、実質的に、主電流方向Ｄ１と平行に第１検知部分１４２及び第１接続部分１４６を通る線上に位置する。
【００１１】
第１貫通スロット１４４の存在と、抵抗部１２の方への第１貫通スロット１４４の２つの端部の延伸とにより、第１検知部分１４２での電流密度は低減し、第１検知部分１４２及び第２検知部分１６２を通って抵抗器１を流れる電流の検知電圧偏差は小さくなる。すなわち、第１貫通スロット１４４を備える抵抗器１は全体として、第１貫通スロット１４４なしの抵抗器１全体よりもＴＣＲが低い。その上、実施形態において、抵抗器１は、例えば、レーザトリミング、フライス削り、打ち抜き、又は抵抗器１から材料を取り除くことができる他の方法によって、抵抗部１２の縁部で形成された欠刻１２２を備える。欠刻１２２は、抵抗器１の抵抗を調整するように選択された深さ１２２ａを有する。
【００１２】
実施形態において、第１貫通スロット１４４は、図示されるように、正方形又は長方形のブラケットの形で設けられる。第１スロットセクション１４４２及び第２スロットセクション１４４４は、主電流方向Ｄ１又は第１検知部分１４２に対して対称であり、Ｌ字の形で設けられる。なお、実際には、それらに限られない。例えば、図２によって示されるように、抵抗器１ａの第１貫通スロット１４４はＣ字の形で設けられ得る。その場合に、第１スロットセクション１４４２及び第２スロットセクション１４４４は、円弧の形で設けられる。実際に、Ｃ字は、半円又は、３０°超（望ましくは、３０°から３３０の範囲内）の中心角度に対応する円の円弧であることができる。他の例として、図３によって示されるように、抵抗器１ｂの第１貫通スロット１４４は、角ブラケットの形で形成され得る。その場合に、第１スロットセクション１４４２及び第２スロットセクション１４４４は、直線（又は斜辺）の形で設けられる。他の例として、図４によって示されるように、抵抗器１ｃの第１貫通スロット１４４の第１スロットセクション１４４２及び第２スロットセクション１４４４は、主電流方向Ｄ１又は第１検知部分１４２に対して非対称である。その場合に、第１スロットセクション１４４２は、円弧の形で設けられ、一方、第２スロットセクション１４４４は、直線の形で設けられる。
【００１３】
図１から図４を参照されたい。実際に、抵抗器１、１ａ、１ｂ及び１ｃのＴＣＲは、主電流方向Ｄ１における第１貫通スロット１４４の投影長さＬ１、Ｌ２、Ｌ３及びＬ４が長くなるにつれて、小さくなる。また、抵抗器１、１ａ、１ｂ及び１ｃのＴＣＲは、主電流方向Ｄ１と垂直な方向における第１貫通スロット１４４の投影長さＷ１、Ｗ２、Ｗ３及びＷ４が長くなるにつれても、小さくなる。また、抵抗器１、１ａ、１ｂ及び１ｃのＴＣＲは、第１検知部分１４２と第１貫通スロット１４４との間のギャップＧ１、Ｇ２、Ｇ３及びＧ４（例えば、第１検知部分１４２と第１起点Ｓ１との間の距離）が狭まるにつれても、小さくなる。抵抗器１、１ａ、１ｂ及び１ｃの検知電圧は、主電流方向Ｄ１における第１貫通スロット１４４の投影長さＬ１、Ｌ２、Ｌ３及びＬ４が長くなるにつれて、低くなる。また、抵抗器１、１ａ、１ｂ及び１ｃの検知電圧は、主電流方向Ｄ１と垂直な方向における第１貫通スロット１４４の投影長さＷ１、Ｗ２、Ｗ３及びＷ４が長くなるにつれても、低くなる。同じ温度の下で、同じ検知電圧を保つために（すなわち、測定誤差を変化させることなしに）、幅Ｗ０を広げる必要がある。それにより、抵抗器１、１ａ、１ｂ及び１ｃのサイズ及びコストは増大する。実際に、第１導電部１４の構造強度、精度及び適切なサイズを考慮すると、第１貫通スロット１４４の投影長さＷ１、Ｗ２、Ｗ３及びＷ４は、主電流方向Ｄ１と垂直な方向における第１導電部１４の幅Ｗ０の半分よりも狭いように設計され得る。
【００１４】
実際に、第１接続部分１４６は、例えば、ＰＣＢ又は他の付属部品をそれに取り付けるために、外部構造と連携した構造により形成されてよい。図５によって示されるように、第１接続部分１４６は、連通穴（例えば、単純な穴又はねじ穴）である。第１導電部１４は、第１貫通スロット１４４と連通穴（すなわち、接続部分１４６）とを接続する拡張貫通スロット１４８を備える。拡張貫通スロット１４８は、抵抗器１ａ、１ｂ及び１ｃにも適用可能であるが、これらはこれ以上記載されない。
【００１５】
図６を参照されたい。他の実施形態に従う、抵抗の温度係数が低い抵抗器２は、構造的に抵抗器１に類似しており、従って、抵抗器１の参照番号を使用する。抵抗器２に関する他の記載については、抵抗器１及びその変形例の関連記載を参照されたく、これ以上は繰り返さないこととする。抵抗器２では、第２導電部１６が第２貫通スロット１６４を更に備える。第２検知部分１６２は、第２貫通スロット１６４と抵抗部１２との間に位置し、第２貫通スロット１６４は、主電流方向Ｄ１に沿って第２接続部分１６６と第２検知部分１６２との間に位置する。第２貫通スロット１６４は、第３スロットセクション１６４２及び第４スロットセクション１６４４を含む。第３スロットセクション１６４２及び第４スロットセクション１６４４は、主電流方向Ｄ１に対して第２検知部分１６２の２つの相対する側に位置して互いに接続される。すなわち、図６の図では、第３スロットセクション１６４２は上方に伸び、第４スロットセクション１６４４は下方に伸びている。第３スロットセクション１６４２は、第２起点Ｓ２（図６中、×印で示されている。）から第３経路Ｐ３（図６中、破線矢印で示されている。）に沿って抵抗部１２の方へ延在して閉塞端１６４２ａで終わる。第４スロットセクション１６４４は、第２起点Ｓ２から第４経路Ｐ４（図６中、破線矢印で示されている。）に沿って抵抗部１２の方へ延在して閉塞端１６４４ａで終わる。第３経路Ｐ３は、主電流方向Ｄ１と平行な第３平行コンポーネントＰ３１と、主電流方向Ｄ１と垂直な第３垂直コンポーネントＰ３２とを備える。第４経路Ｐ４は、主電流方向Ｄ１と平行な第４平行コンポーネントＰ４１と、主電流方向Ｄ１と垂直な第４垂直コンポーネントＰ４２とを備える。第３平行コンポーネントＰ３１、第３垂直コンポーネントＰ３２、第４平行コンポーネントＰ４１、及び第４垂直コンポーネントＰ４２は非ゼロである。実施形態において、第２起点Ｓ２（すなわち、第３スロットセクション１６４２及び第４スロットセクション１６４４が接続される場所）は、実質的に、主電流方向Ｄ１と平行に第２検知部分１６２及び第２接続部分１６６を通る線上に位置する。更に、実施形態において、第１接続部分１４６、第１貫通スロット１４４、第１検知部分１４２、抵抗部１２、第２検知部分１６２、第２貫通スロット１６４、及び第２接続部分１６６は、主電流方向Ｄ１において順に配置される。
【００１６】
第１貫通スロット１４４及び第２貫通スロット１６４の存在と、抵抗部１２の方への第１貫通スロット１４４の２つの端部及び第２貫通スロット１６４の２つの端部の延伸とにより、第１検知部分１４２及び第２検知部分１６２での電流密度は低減し、第１検知部分１４２及び第２検知部分１６２を通って抵抗器１を流れる電流の検知電圧偏差は小さくなる。すなわち、第１貫通スロット１４４及び第２貫通スロット１６４を備える抵抗器２は全体として、第１貫通スロット１４４及び第２貫通スロット１６４なしの抵抗器２全体よりもＴＣＲが低い。その上、抵抗器２と比較して、抵抗器１はただ１つの貫通スロット（すなわち、第１貫通スロット１４４）しか備えないので、比較的高い熱放散効率を有する。すなわち。抵抗器１及び２が動作中であるとき、抵抗器１は、より低い動作温度を有する。
【００１７】
更に、実施形態において、第３スロットセクション１６４２及び第４スロットセクション１６４４は、主電流方向Ｄ１又は第２検知部分１６２に対して対称である。第１貫通スロット１４４及び第２貫通スロット１６４は、抵抗部１２に対して対称である。なお、実際には、それらに限られない。従って、第１貫通スロット１４４及びその変形例は、抵抗器２にも適用可能である。第２貫通スロット１６４及びその変形例に関する他の記載については、第１貫通スロット１４４及びその変形例の関連記載を参照されたく、これ以上は繰り返さないこととする。
【００１８】
図７を参照されたい。実施形態に従う、抵抗の温度係数が低い抵抗器３は、抵抗部３２、第１導電部３４、及び第２導電部３６を含む。抵抗器３は、その上に主電流方向Ｄ２を定める。第１導電部３４は、主電流方向Ｄ２において抵抗部３２の側部３２ａに接続される。第１導電部３４は、主電流方向Ｄ２と垂直に外側に広がって、主電流方向と垂直な端部３４２ａで終わる第１突起ブロック３４２を備える。第１導電部３４はまた、第１突起ブロック３４２にある（又は端部３４２ａにある）第１検知部分３４４（図７中、円で示されている。）と、第１接続部分３４６（図７中、破線円で示されている。）とを備える。第１突起ブロック３４２は、主電流方向Ｄ２において第１接続部分３４６と抵抗部１２との間に位置する。第２導電部３６は、主電流方向Ｄ２において第１導電部３４に対して抵抗部３２の他の側部３２ｂに接続される。その上、いくつかの実施形態で、第２導電部３６は、反対側３２ｂではなく、抵抗部３２の別の側部へ接続される。この接続構成によれば、電流は、側部３２ａからその別の側部へ流れることになる。この接続構成は、湾曲した設置空間に適している。実際に、この接続構成は、一様でない電流密度部分を引き起こす場合があり、抵抗部３２、第１導電部３４及び第２導電部３６のサイズは、然るべく大きくされる必要があり得る。
【００１９】
実施形態において、第２導電部３２は、主電流方向Ｄ２と垂直に外側に広がって、主電流方向Ｄ２と垂直な端部３６２ａで終わる第２突起ブロック３６２を備える。第２導電部３６はまた、第２突起ブロック３６２にある（又は端部３６２ａにある）第２検知部分３６４（図７中、円で示されている。）と、第２接続部分３６６（図７中、破線円で示されている。）とを備える。第２突起ブロック３６２は、主電流方向Ｄ２において第２接続部分３６６と抵抗部１２との間に位置する。第１突起ブロック３４２及び第２突起ブロック３６２は、抵抗部１２に対して反対の位置に配置される。
【００２０】
抵抗器３が動作中であるとき、電流は、例えば、第１接続部分３４６から第２接続部分３６６へ、実質的に主電流方向Ｄ２において抵抗器３を流れる。第１突起ブロック３４２の縁部３４２ｂは、第１導電部３４の縁部３４ａと隣接して、実質的に主電流方向Ｄ２において第１検知部分３４４と第１接続部分３４６との間に位置する閉塞構造を形成し、閉塞構造は、第１突起ブロック３４２を通る電流のフローを少なくとも部分的に阻止することができる。同様に、第２突起ブロック３６２の縁部３６２ｂは、第２導電部３６の縁部３６ａと隣接して、実質的に主電流方向Ｄ２において第２検知部分３６４と第２接続部分３６６との間に位置する閉塞構造を形成し、閉塞構造は、第２突起ブロック３６２を通る電流のフローを少なくとも部分的に阻止することができる。従って、閉塞構造は、第１検知部分３４４及び第２検知部分３６４を通る電流の検知電圧偏差を有効に小さくすることができる。すなわち、閉塞構造は、抵抗器３のＴＣＲを低減する効果がある。
【００２１】
実施形態において、抵抗器３は、例えば、レーザトリミング、フライス削り、打ち抜き、又は抵抗器３から材料を取り除くことができる他の方法によって、抵抗部３２の縁部（主電流方向Ｄ２に対して第１突起ブロック３４２及び第２突起ブロック３６２とは反対の側）で形成された欠刻３２２を備える。欠刻３２２は、抵抗器３の抵抗を調整するように選択された深さ３２２ａを有する。抵抗部３２は、主電流方向Ｄ２において第１検知部分と第２検知部分３６４との間（又は第１突起ブロック３４２と第２突起ブロック３６２との間）に部分３２４を備え、更に、抵抗部３２、第１突起ブロック３４２、及び第２突起ブロック３６２の端は、揃えられる。望ましくは、部分３２４は、第１検知部分３４４から第２検知部分３６４への基準線セグメント上に位置し、抵抗部３２は、その線セグメントに沿って穴構造を有さない。故に、電流は、線セグメントに沿って部分３２４を通って流れることができる。なお、実際には、それらに限られない。
【００２２】
更に、実施形態において、（第１導電部３４の）縁部３４ａ又は（第２導電部３６の）縁部３６ａは、主電流方向Ｄ２と平行に伸びる直線縁（又は図７の図では、水平な線）である。実際に、縁部３４ａ又は縁部３６ａは、図８によって示されるように、欠刻の底縁によって形成され得る。なお、実際には、それらに限られない。例えば、縁部３４ａは、図９によって示されるように、主電流方向Ｄ２に対して斜めに伸びる傾斜縁であることができる。他の例として、縁部３４ａは、図１０によって示されるように、主電流方向Ｄ２に対して斜めに伸びる曲線縁であることができる。縁部３４ａの変形例に関する上記の説明は、第２導電部３６の縁部３６ａにも適用可能である。その上、実際には、（縁部３４ａ、３４２ｂ、３６ａ、及び３６２ｂによって形成される）閉塞構造は、金属板を打ち抜きすることによって容易に設けられ得るが、これに限られない。
【００２３】
更に、実際に、抵抗器３は、外部検知回路に表面実装され得る。例えば、図１１によって示されるように、抵抗器３は、ＰＣＢ上の外部検知回路のパッド４２ａ及び４２ｂ（図１１中、破線で示されている。）に表面実装される。第１突起ブロック３４２及び第２突起ブロック３６２は、夫々パッド４２ａ及び４２ｂに直接実装される。パッド４２ａ及び４２ｂは、外部検知回路へ電気的に接続される検知部分として夫々リード４２２ａ及び４２２ｂを形成するよう延在する。
【００２４】
上記の実施形態では、閉塞構造（すなわち、例えば、抵抗器１の第１貫通スロット１４４並びに抵抗器３の縁部３４ａ及び３４２ｂの構造）は、抵抗器１及び３を通る電流のフローを少なくとも部分的に阻止する同じ又は類似した構造的な効果を奏する。抵抗器３及びその変形例に関する他の記載については、抵抗器１の同じ名称を持った構成要素の関連記載を参照されたく、これ以上は繰り返さないこととする。
【００２５】
更に、上記の実施形態では、抵抗器１、１ａ、１ｂ、１ｃ、及び３は、対称構造で示されている。しかし、実際には、それらに限られない。例えば、図１２で示されるように、抵抗器３ａは、抵抗器３と構造的に類似している。抵抗器３ａの第１導電部３４のみが、検知部分（すなわち、第１検知部分３４４）が配置されている突起ブロック（すなわち、第１突起ブロック３４２ａ）を備えている。第２導電部３６の第２検知部分３６４及び第１検知部分３４４は夫々、抵抗部３２の２つの側で配置される。第１突起ブロック３４２の縁部３４２ｂが第１導電部３４の縁部３４ａと隣接することによって形成される閉塞構造は、ある程度第１検知部分３４４及び第２検知部分３６４を流れる電流の検知電圧偏差を小さくすることを依然として促す。すなわち、閉塞構造は、抵抗器３ａのＴＣＲを低減する効果を依然として奏する。抵抗器３ａはまた、第１導電部３４及び第２導電部３６において夫々他の検知部分３４４ａ及び３６４ａ（図１２中、破線円で示されている。）を設けられ得る。突起ブロック３６３の縁部３６３ａ及び第２導電部３６の縁部３６ｂは隣接して、実質的に主電流方向Ｄ２において検知部分３４４ａ及び３６４ａの間に位置する閉塞構造を形成する。従って、検知部分３４４ａ及び３６４ａも、検知部分３４４及び３６４のように電圧を検知するために使用可能であり、これは、抵抗器３ａの配置及び設計の柔軟性の助けとなる。
【００２６】
当業者であれば、本発明の教示を保ちながら、デバイス及び方法の多数の変更及び代替が行われ得ると容易に気付くであろう。従って、上記の開示は、添付の特許請求の範囲の境界によって制限されると解釈されるべきである。
【符号の説明】
【００２７】
１，２，３      抵抗器
１２，３２      抵抗部
１２２，３２２  欠刻
１４，３４      第１導電部
１４２，３４４  第１検知部分
１４４          第１貫通スロット
１４４２        第１スロットセクション
１４４２ａ      閉塞端
１４４４        第２スロットセクション
１４４４ａ      閉塞端
１４６，３４６  第１接続部分
１４８          拡張貫通スロット
１６，３６      第２導電部
１６２，３６４  第２検知部分
１６６，３６６  第２接続部分
１６４          第２貫通スロット
１６４２        第３スロットセクション
１６４２ａ      閉塞端
１６４４        第４スロットセクション
１６４４ａ      閉塞端
３４２          第１突起ブロック
３６２          第２突起ブロック
Ｄ１，Ｄ２      主電流方向
Ｐ１            第１経路
Ｐ１１          第１平行コンポーネント
Ｐ１２          第１垂直コンポーネント
Ｐ２            第２経路
Ｐ２１          第２平行コンポーネント
Ｐ２２          第２垂直コンポーネント
Ｐ３            第３経路
Ｐ３１          第３平行コンポーネント
Ｐ３２          第３垂直コンポーネント
Ｐ４            第４経路
Ｐ４１          第４平行コンポーネント
Ｐ４２          第４垂直コンポーネント
Ｓ１            第１起点
Ｓ２            第２起点
【図１】
2020102626.tif 000003
【図２】
2020102626.tif 000004
【図３】
2020102626.tif 000005
【図４】
2020102626.tif 000006
【図５】
2020102626.tif 000007
【図６】
2020102626.tif 000008
【図７】
2020102626.tif 000009
【図８】
2020102626.tif 000010
【図９】
2020102626.tif 000011
【図１０】
2020102626.tif 000012
【図１１】
2020102626.tif 000013
【図１２】
2020102626.tif 000014